(57)【要約】【課題】施設内へのペット同伴を容易にすると共に、ペットの持ち込みが許可されない場合であっても、ペットが収容室内でより快適に過ごすことができるペットキャリーバッグを、低コストで提供する。【解決手段】ペットを収容する収容室１１Ｓと、この収容室１１Ｓの底面１２ａと離間して敷設される床部材３０と、収容室１１Ｓが内部に形成された本体部１０と、を有するペットキャリーバッグ１において、本体部１０は、その形状を形成する心材２２と、この心材２２の外側表面全体を覆う表面部材２１とからなり、表面部材２１が合成皮革からなること、収容室１１Ｓの底面１２ａと床部材３０との間には、収容室１１Ｓの雰囲気温度、床部材３０の表面温度を変化させる温度調節パック５０を備えている。【選択図】 図３
2015144576.tif 000002
【特許請求の範囲】
【請求項１】
ペットを収容する収容室と、該収容室の底面と離間して敷設される床部材と、前記収容室が内部に形成された本体部と、を有するペットキャリーバッグにおいて、
前記本体部は、その形状を形成する心材と、前記心材の外側表面全体を覆う表面部材とからなり、前記表面部材が皮革からなること、
前記収容室の前記底面と前記床部材との間には、前記収容室の雰囲気温度、または前記床部材の表面温度の少なくとも一方を、変化させる温度調節手段を備えていること、
を特徴とするペットキャリーバッグ。
【請求項２】
請求項１に記載するペットキャリーバッグにおいて、
前記温度調節手段は、融点より低温度で固化した冷却媒体を融解させて、前記収容室側の雰囲気を冷やす保冷体、または
自らが発熱する加熱媒体の伝熱により、前記収容室側の雰囲気温度を昇温させる発熱体であること、
を特徴とするペットキャリーバッグ。
【請求項３】
請求項１または請求項２に記載するペットキャリーバッグにおいて、
前記収容室の内面は、断熱材で覆われていること、
を特徴とするペットキャリーバッグ。
【発明の詳細な説明】
【技術分野】
【０００１】
この発明は、例えば、小型犬や猫等のペットを、飼い主と一緒に移動するのに用いるペットキャリーバッグに関する。
【背景技術】
【０００２】
飼い主の多くは、小型犬や猫等のペットを自らの家族の一員として可愛がる傾向が一般的に強く、飼い主がペットキャリーバッグに入れたペットと共に外出する光景が近年、日常的によく見られる。外出先の施設の中には、例えば、スーパーマーケットや百貨店、レストラン等、衛生上及び他者への配慮の理由等により、ペットの同伴を禁ずる場所があり、この場合、飼い主はやむを得なく、ペットキャリーバッグに入っているペットを自動車内に置いたまま、自らの用を済ませている。自動車内は、温度変化が大きくなる雰囲気下にある一方、ペットは、周囲の雰囲気に対し、極端な温度変化に非常に敏感であるため、ペット愛好家の間では、やむを得なくペットを飼い主と一時的に離れて置いておく場合でも、ペットがより快適と感じることができるペットキャリーバッグの開発が望まれていた。
【０００３】
その開発品の一例として、特許文献１に開示されたペットキャリアがある。特許文献１は、電流方向の制御により暖房または冷房を選択的に行って温度調節を行う温度調整ユニットを、複数の貫通孔を外部から見える位置に有したペット収容体内に設け、ペットを取り巻く空気や、ペットが横たわる面を、加熱または冷却している。特許文献１は、温度調整ユニットにより、ペット収容体内の雰囲気を、自在に温度調節できるとされている。
【先行技術文献】
【特許文献】
【０００４】
【特許文献１】特開２００９−２４７２１６号公報
【発明の概要】
【発明が解決しようとする課題】
【０００５】
しかしながら、特許文献１には、以下のような問題があった。
（１）特許文献１は、ペット収容体内に温度変化に応じて、温度調節が可能であるため、ペット収容体内でペットは快適と感じると考えられるが、温度調整ユニットや、これに関連する熱交換フィン、配管、撮像装置ほか、各種機器が複雑で大掛かりな構成となっているため、コスト高である。また、このような温度調整ユニット等の搭載により、ペットキャリアが重くなり、飼い主がペットを連れて持ち運ぶのに、可搬性と使い勝手が良くない。
【０００６】
（２）また、特許文献１は、ファッション性に欠けた機能重視の形態で収容部を構成し、その収容部の壁に複数の貫通孔を設けたペットキャリアである。そのため、このペットキャリアを概観視するだけで、収容部内にペットが収容されていることが一目瞭然で判断できてしまい、前述した外出先の施設内にペットが同伴できない一因ともなっている。すなわち、前記外出先の施設では近年、たとえペットがペットキャリーバッグ内に収容されていても、このペットキャリーバッグの形態によって、ペットが外部にさらけ出されていなければ、ペットの同伴を許可する施設が増えている。換言すれば、従来のキャリーバッグは、主として機能重視で構成され、収容部内のペットを他者に外部から容易に認識できてしまうため、一目の付く施設内への持ち込みを阻害するものであった。
【０００７】
本発明は、上記問題点を解決するためになされたものであり、施設内へのペット同伴を容易にすると共に、ペットの持ち込みが許可されない場合であっても、ペットが収容室内でより快適に過ごすことができるペットキャリーバッグを、低コストで提供することを目的とする。
【課題を解決するための手段】
【０００８】
本発明に係るペットキャリーバッグは、上記目的を達成するため、以下の構成を有する。
（１）ペットを収容する収容室と、該収容室の底面と離間して敷設される床部材と、前記収容室が内部に形成された本体部と、を有するペットキャリーバッグにおいて、前記本体部は、その形状を形成する心材と、前記心材の外側表面全体を覆う表面部材とからなり、前記表面部材が皮革からなること、前記収容室の前記底面と前記床部材との間には、前記収容室の雰囲気温度、または前記床部材の表面温度の少なくとも一方を、変化させる温度調節手段を備えていること、を特徴とする。
（２）（１）に記載するペットキャリーバッグにおいて、前記温度調節手段は、融点より低温度で固化した冷却媒体を融解させて、前記収容室側の雰囲気を冷やす保冷体、または自らが発熱する加熱媒体の伝熱により、前記収容室側の雰囲気温度を昇温させる発熱体であること、を特徴とする。
（３）（１）または（２）に記載するペットキャリーバッグにおいて、前記収容室の内面は、断熱材で覆われていること、を特徴とする。
【発明の効果】
【０００９】
上記構成を有する本発明のペットキャリーバッグの作用・効果について説明する。
（１）ペットを収容する収容室と、該収容室の底面と離間して敷設される床部材と、収容室が内部に形成された本体部と、を有するペットキャリーバッグにおいて、本体部は、その形状を形成する心材と、心材の外側表面全体を覆う表面部材とからなり、表面部材が皮革からなること、収容室の底面と床部材との間には、収容室の雰囲気温度、または床部材の表面温度の少なくとも一方を、変化させる温度調節手段を備えていること、を特徴とするので、本発明のペットキャリーバッグは、本体部全体を皮革製の表面部材で包囲することで、収容室に収容したペットを外部から認識できない状態にすることができる。そのため、飼い主が、例えば、スーパーマーケットや百貨店、レストラン等の外出先の施設に、ペットを同伴して入ろうする場合でも、これらの外出先の施設からペット持ち込みの許可が受け易くなる。また、本発明のペットキャリーバッグは、特許文献１のような高価な冷暖房システムを不要とせず、低コストであり、本体部全体を皮革製の表面部材で包囲するだけで、上記外出先の施設に持ち込むことができる。
【００１０】
他方、前記外出先の施設の中でも、外部からペットを認識できる／できないに拘わらず、ペットの同伴を許可しない施設が存在する場合もある。このような場合、本発明のペットキャリーバッグは、本体部全体を皮革製の表面部材で構成されているため、収容室の雰囲気が外気と遮断され易く、外部との断熱を図ることができる。加えて、収容室の雰囲気温度が、ペットにとって快適と感じない温度である場合には、例えば、実施形態に挙げる保冷剤、使い捨ての懐炉、加熱ヒータ等の温度調節手段により、収容室の雰囲気温度と、床部材の表面温度を変化させることができる。そのため、飼い主が、本発明のペットキャリーバッグの収容室に入っているペットを、やむを得なく一時的に離れた場所に置いておく場合でも、その間、ペットは、収容室内で、特に我慢を強いられることなく快適に、飼い主を待つことができる。
従って、本発明に係るペットキャリーバッグによれば、施設内へのペット同伴を容易にすると共に、ペットの持ち込みが許可されない場合であっても、低コストで、ペットが収容室内でより快適に過ごすことができる、という優れた効果を奏する。
【００１１】
（２）温度調節手段は、融点より低温度で固化した冷却媒体を融解させて、収容室側の雰囲気を冷やす保冷体、または自らが発熱する加熱媒体の伝熱により、収容室側の雰囲気温度を昇温させる発熱体であること、を特徴とするので、本発明のペットキャリーバッグを使用する季節によって、温度調節手段の使用の有無、用いる温度調節手段が保冷体であるか、発熱体であるかを、飼い主によって適宜選択的に装着する形態にすることで、本発明のペットキャリーバッグの使い勝手が良くなる。すなわち、春季、秋季のように、特に収容室を、冷やすまたは温める必要がない時期には、温度調節手段の必要性がないため、温度調節手段を装着しないで、ペットを収容室に収容すればことが足りる。そのため、飼い主が、本発明のペットキャリーバッグを持ち運びするとき、温度調節手段を装着しない分、本発明のペットキャリーバッグの軽量化が図れ、可搬性も向上する。
【００１２】
（３）収容室の内面は、断熱材で覆われていること、を特徴とするので、温度調節手段により、温められた収容室内の雰囲気が、断熱材によって暖気のまま保温され易くなり、収容室内の雰囲気温度の低下を抑制することができる。一方、温度調節手段により、冷やされた収容室内の雰囲気が、断熱材によって冷気のまま維持され易くなると共に、外気が高温下にあるときには、表面部材と共に断熱材により、外気の熱による影響が、収容室に及ぶのを抑制することができる。
【図面の簡単な説明】
【００１３】
【図１】実施形態に係るペットキャリーバッグを開口手前側から示した斜視図である。
【図２】図１に示すペットキャリーバッグを開口奥側から示した斜視図である。
【図３】図１に示すペットキャリーバッグの本体部を示す図であり、図１中、Ａ−Ａ矢視断面で本体部の一部を概略的に示した説明図である。
【図４】図１に示すペットキャリーバッグの開口奥側部を示す側面図である。
【図５】図１に示すペットキャリーバッグの開口を開放し、ペットを収容する状態を示す説明図である。
【図６】変形形態に係るペットキャリーバッグに関し、図３に相当する説明図である。
【発明を実施するための形態】
【００１４】
（実施形態）
以下、本発明に係るペットキャリーバッグについて、実施形態を図面に基づいて詳細に説明する。本実施形態では、ペットして小型犬を挙げ、飼い主と一緒に移動するのに用いるペットキャリーバッグについて、説明する。なお、ペットは、小型犬に限定されるものではなく、例えば、猫等、ペットキャリーバッグの収容室に収容できる大きさで、雰囲気中の温度変化に非常に敏感な動物であれば良い。図１は、実施形態に係るペットキャリーバッグを開口手前側から示した斜視図であり、そのペットキャリーバッグを開口奥側から示した斜視図を、図２に示す。図５は、図１に示すペットキャリーバッグの開口を開放し、ペットを収容する状態を示す説明図である。
【００１５】
ペットキャリーバッグ１は、図１及び図２に示すように、本体部１０と、この本体部１０に回動可能に取り付けられた２本の手提げ２と、伸縮可能なショルダーストラップ３とを有している。後述するように、手提げ２と第２閉塞蓋２５の取手２６は、縫製処理により、心材２２の外側表面を表面部材２１で被覆されている。ショルダーストラップ３は、本体部１０を斜めに横切って、一方の手提げ２の一端側取付け具と、その他方の手提げ２の他端側取付け具とに、それぞれ脱着可能に取り付けられている。本体部１０は、四角形状の底部１２と、この底部１２の一辺をそれぞれ含む開口手前側部１３、開口奥側部１４、及び２つの幅広側部１５と、開口手前側部１３及び開口奥側部１４とそれぞれ曲面で繋がる蓋部１６とからなる。そして、底部１２、開口手前側部１３、開口奥側部１４、２つの幅広側部１５、及び蓋部１６（以下、特に断りがない限り、これらを「包囲部」と総称する。）で囲まれた内部空間が、ペットを収容する収容室１１Ｓとなっている。
【００１６】
開口手前側部１３の一部である第１閉塞蓋２４は、底部１２と繋がった状態で、２つの第１ファスナ２７により、開閉可能な側部となっており、上端部に、スナップボタン２９の片側部品であるバネ２９ｂ（図５では、３つを例示）を有している。また、蓋部１６、開口手前側部１３、及び開口奥側部１４の一部である第２閉塞蓋２５は、開口奥側部１４と繋がった状態で、２つの第２ファスナ２８により、開閉可能な蓋部となっており、開閉を行うときに用いる取手２６を有している。また、この第２閉塞蓋２５の端部には、上記バネ２９ｂに対応したスナップボタン２９のゲンコ２９ａが設けられている。第１閉塞蓋２４と第２閉塞蓋２５とを開放すると、図５に示すように、ペットキャリーバッグ１の開口１７が形成され、この開口１７を通じて、ペットが、外部と収容室１１Ｓとの間を出入りできる。
【００１７】
その反対に、閉じた状態にある第１閉塞蓋２４の上端部に、第２閉塞蓋２５の端部を重ね合わせた状態で、ゲンコ２９ａとバネ２９ｂとを係合させることにより、開口１７は、第１閉塞蓋２４と第２閉塞蓋２５によって閉塞される。第１閉塞蓋２４と第２閉塞蓋２５とをスナップボタン２９で留めて閉じた状態では、重なり合った第１閉塞蓋２４と第２閉塞蓋２５との部分に、外部から人目に付かない程度の隙間が形成され、この隙間は、収容室１１Ｓ内外の空気の流通孔として機能している。
【００１８】
図３は、図１に示すペットキャリーバッグの本体部を示す図であり、図１中、Ａ−Ａ矢視断面で本体部の一部を概略的に示した説明図である。図４は、図１に示すペットキャリーバッグの開口奥側部を示す側面図である。なお、図を見易くするため、図３では、本体部１０における包囲部の厚みを大きく強調して図示すると共に、図３〜図５では、ショルダーストラップ３の図示を省略している。
【００１９】
本体部１０の包囲部は、当該本体部１０の形状を形成する心材２２と、この心材２２の外側表面を覆う表面部材２１と、心材２２の内側表面を覆うと共に、収容室１１Ｓの内面を覆う断熱材２３との３層構造で形成されている。表面部材２１は皮革製である。具体的には、本実施形態では、心材２２は、ポリウレタン(PU：Poly-urethane)からなる。また、表面部材２１は、外観上の質感と手触り感が高く、水に濡れても手入れがし易い合成皮革製であり、縫製処理により心材２２の外側表面に被覆されている。また、図示していないが、表面部材２１の外側表面には、デザイン性に富んだ模様、ワンポイントとなるキャラクタ、マーク等の図柄が、インクジェットプリンタにより描写されている。なお、表面部材２１は本革製としても良い。
【００２０】
断熱材２３は、例えば、発砲ポリエチレン(EPE：Expanded Poly-Ethylene)、ポリエチレンテレフタレート（PET：Polyethylene terephthalate）等にアルミ蒸着フィルムを積層させた部材である。断熱材２３のアルミ蒸着フィルム面は、底部１２の底面１２ａ、開口手前側部１３の内面１３ａ、開口奥側部１４の内面１４ａ、幅広側部１５の壁面１５ａ、及び蓋部１６の内面１６ａに面しており、収容室１１Ｓの内面となっている。
【００２１】
本体部１０には、床部材３０が、収容室１１Ｓの底面１２ａと幅広側部１５の壁面１５ａとの角部に設けた支持部３２を介して、収容室１１Ｓの底面１２ａと離間し、この底面１２ａ全体に沿って敷設されている。この床部材３０は、ペットが立つまたは横たわるための床であり、補強を施した１枚のキルティング材により略平板状に形成されている。床部材３０の床部材裏面３０ｂ側には、後述する温度調節パック５０を、床部材裏面３０ｂと密着または近接させて保持させる保持部３１が設けられている。保持部３１は、例えば、弾性を有したゴム製で、開口手前側部１３側を開放したポケット状等に床部材３０と一体に形成され、温度調節パック５０を複数、床部材３０の床部材裏面３０ｂに沿って配置できる部材である。
【００２２】
収容室１１Ｓの底面１２ａと床部材３０の床部材裏面３０ｂとの間には、床部材３０の表面温度と、収容室１１Ｓの雰囲気温度を変化させる温度調節パック５０（温度調節手段、保冷体、発熱体）が設けられている。温度調節パック５０は、ペットキャリーバッグ１を使用する季節によって異なり、対応する季節に応じて選択し使用する。主に夏季には、温度調節パック５０は、融点より低温度で固化した冷却媒体を融解させて、収容室の雰囲気を冷やす保冷体である。一方、主に冬期には、温度調節手段は、自らが発熱する加熱媒体の伝熱により、収容室の雰囲気温度を昇温させる発熱体である。
【００２３】
具体的に説明する。本実施形態では、主に夏季に使用する温度調節パック５０は、いわゆる保冷剤である。この保冷剤は、例えば、ポリアクリル酸ナトリウム等の高吸水性樹脂、水、防腐剤、及び形状安定剤等を含む冷却媒体とし、冷凍庫で十分に凝固させておき、収容室１１Ｓに置いて融解させ、収容室１１Ｓの雰囲気を冷やす保冷剤であり、繰り返し使用できるものである。また、この保冷剤以外の冷却手段には、水や氷の昇華時に生じる気化熱を利用して収容室１１Ｓを冷却する手段、ペルチェ素子を利用して収容室１１Ｓを冷却する手段、超小型軽量化されたコンプレッサを利用して収容室１１Ｓを冷却する手段等が挙げられる。
【００２４】
また、主に冬期に使用する温度調節パック５０は、懐炉である。懐炉の中でも、例えば、鉄粉、鉄の酸化を促進する塩や水（触媒）、酸素を吸収する活性炭、水を保水するバーミキュライト等を含む加熱媒体とし、このような加熱媒体を不織布で外装し、鉄と酸素との化学反応で水酸化第二鉄の生成時に発熱した熱を、床部材３０の床部材裏面３０ｂから床部材表面３０ａに伝熱させ、収容室１１Ｓ側の雰囲気温度を昇温させる使い捨ての懐炉である。
【００２５】
また、このような懐炉以外の昇温手段には、例えば、湯たんぽ、ベンジンを燃料とする白金触媒式懐炉、ヒータ等が挙げられる。昇温手段がヒータである場合には、図６に示すように、加熱ヒータ１５０が、床部材３０の床部材裏面３０ｂに、その面方向（図６中、紙面左右‐紙面垂直方向）に沿って配設され、電源部４２と電気的に接続（図示省略）されている。加熱ヒータ１５０は、ちょうど電気ホットカーペットのように、電線への通電によりジュール熱で発熱する平らなマット状のヒータであり、床部材３０一面を隈なく温めることができる。床部材３０への伝熱温度は、収容室１１Ｓに収容されているペットが火傷等をおわないよう、昇温手段の内容に拘わらず、一例として概ね４０℃前後となっている。電源部４２の詳細については次述する。
【００２６】
本体部１０の開口奥側部１４には、ファン４１が設けられている。このファン４１は、床部材３０の下方に配置された電源部４２と電気的に接続（図示省略）され、適度の風量で外気を収容室１１Ｓに送風する。また、このファン４１は、ペットの呼吸孔として機能するほか、温度調節パック５０から床部材３０を通じて床部材表面３０ａに伝わる冷気または暖気を、収容室１１Ｓ内で対流させる機能を有する。ファン４１は、収容室１１Ｓ内を内側メッシュ４３で、開口奥側部１４外側を外側メッシュ４４でそれぞれ覆われ、空気が、内側メッシュ４３と外側メッシュ４４の隙間を通じて、外部と収容室１１Ｓとの間で流通できるようになっている。また、内側メッシュ４３及び外側メッシュ４４は、回転中のファン４１にペットや人の体の一部が接触するのを防止している。
【００２７】
電源部４２は、電力の供給源として、例えば、乾電池等の一次電池、またはリチウムイオン電池やニッケル水素電池等の二次電池と、ファン４１の動作制御回路やスイッチ等の操作制御部とを有している。前述した加熱ヒータ１５０を搭載している場合には、加熱ヒータ１５０の動作制御回路やスイッチ等の操作制御部が電源部４２に設けられている。
【００２８】
次に、ペットキャリーバッグ１の使用方法について、説明する。はじめに、温度調節パック５０が保冷剤である場合について説明した後、温度調節パック５０が懐炉である場合について説明する。
【００２９】
まず、温度調節パック５０が保冷剤である場合、飼い主がペットと共に外出する前までに、予め温度調節パック５０を冷凍庫で凍らせておく。次に、図５に示すように、ペットキャリーバッグ１の第１閉塞蓋２４と第２閉塞蓋２５とを開放しておき、凍った状態の温度調節パック５０を、必要な数だけ、保持部３１に入れて床部材３０に保持させ、この状態にある床部材３０を、開口１７から挿入し支持部３２に支持させて、本体部１０に装着する。このとき、必要に応じて、電源部４２のスイッチをＯＮにしてファン４１を作動させておく。次に、ペットを、開口１７から収容室１１Ｓに入れる。次に、２つの第１ファスナ２７を閉扉して第１閉塞蓋２４を立設させた後、２つの第２ファスナ２８も閉扉して第２閉塞蓋２５を閉塞して開口１７を塞ぎ、第２閉塞蓋２５のゲンコ２９ａを第１閉塞蓋２４のバネ２９ｂに係合させて、第１閉塞蓋２４と第２閉塞蓋２５を固定する。かくして、飼い主は、手提げ２またはショルダーストラップ３によりペットキャリーバッグ１を下げて持ち運び、ペットキャリーバッグ１の収容室１１Ｓに収容したペットと共に、外出先まで出かけることができる。
【００３０】
次に、温度調節パック５０が懐炉である場合には、飼い主がペットと共に外出する直前に、予め温度調節パック５０を発熱させておく。次に、図５に示すように、ペットキャリーバッグ１の第１閉塞蓋２４と第２閉塞蓋２５とを開放しておき、発熱した状態の温度調節パック５０を、必要な数だけ、保持部３１に入れて床部材３０に保持させ、この状態にある床部材３０を、開口１７から挿入し支持部３２に支持させて、本体部１０に装着する。これ以降の過程についての説明は、段落［００２７］で詳述した夏季の場合の内容と同じであるため、割愛する。
【００３１】
以上、詳細に説明したように、本実施形態のペットキャリーバッグ１では、ペットを収容する収容室１１Ｓと、この収容室１１Ｓの底面１２ａと離間して敷設される床部材３０と、収容室１１Ｓが内部に形成された本体部１０と、を有するペットキャリーバッグ１において、本体部１０は、その形状を形成する心材２２と、この心材２２の外側表面全体を覆う表面部材２１とからなり、表面部材２１が合成皮革からなること、収容室１１Ｓの底面１２ａと床部材３０との間には、収容室１１Ｓの雰囲気温度、床部材３０の表面温度を変化させる温度調節パック５０を備えていること、を特徴とするので、ペットキャリーバッグ１は、ファン４１及び外側メッシュ４４を除いた本体部１０全体を合成皮革製の表面部材２１で包囲することで、収容室１１Ｓに収容したペットを、外部から認識できない状態にすることができる。そのため、飼い主が、例えば、スーパーマーケットや百貨店、レストラン等の外出先の施設に、ペットを同伴して入ろうする場合でも、これらの外出先の施設からペット持ち込みの許可が受け易くなる。
【００３２】
すなわち、従来、ペットキャリーバッグ内のペットが他者に外部から容易に認識できてしまうため、一目の付く施設内への持ち込みが許可されず、飼い主はやむを得なく、ペットキャリーバッグに入っているペットを自動車内に置いて自らの用を済ませていたが、ペットキャリーバッグ１により、このような事態が抑制できるようになる。よって、飼い主が、真夏の炎天下で極暑となる雰囲気や、厳冬期に極寒になる雰囲気になる過酷な環境下の自動車内に、ペットを一時的に置いておく必要性が少なくできる。さらに、ペットキャリーバッグ１は、特許文献１のような高価な冷暖房システムを不要とせず、低コストであり、上記本体部１０全体を合成皮革製の表面部材２１で包囲するだけで、上記外出先の施設に持ち込むことができる。
【００３３】
他方、前記外出先の施設の中でも、外部からペットを認識できる／できないに拘わらず、ペットの同伴を許可しない施設が存在する場合もある。このような場合、ペットキャリーバッグ１は、ファン４１及び外側メッシュ４４を除いた本体部１０全体を、断熱性を有した合成皮革製の表面部材２１で覆って構成されているため、収容室１１Ｓの雰囲気が外気と遮断され易く、外部との断熱を図ることができる。加えて、収容室１１Ｓの雰囲気温度が、ペットにとって快適と感じない温度である場合には、温度調節パック５０により、収容室１１Ｓの雰囲気温度と、床部材３０の表面温度を変化させることができる。そのため、飼い主が、ペットキャリーバッグ１の収容室１１Ｓに入っているペットを、やむを得なく一時的に離れた場所に置いておく場合でも、その間、ペットは、収容室１１Ｓ内で、特に我慢を強いられることなく快適に、飼い主を待つことができる。
【００３４】
従って、本実施形態のペットキャリーバッグ１によれば、施設内へのペット同伴を容易にすると共に、ペットの持ち込みが許可されない場合であっても、低コストで、ペットが収容室１１Ｓ内でより快適に過ごすことができる、という優れた効果を奏する。
【００３５】
また、本実施形態のペットキャリーバッグ１では、主に夏季に使用する温度調節パック５０が、繰り返し使用可能な保冷剤であると共に、主に冬期に使用する温度調節パック５０が、使い捨ての懐炉であるので、ペットキャリーバッグ１を使用する季節によって、温度調節パック５０の使用の有無、用いる温度調節パック５０が保冷剤であるか、使い捨ての懐炉であるかを、飼い主によって適宜選択することができるため、使い勝手が良い。すなわち、春季、秋季のように、特に収容室１１Ｓを、冷やすまたは温める必要がない時期には、温度調節パック５０の必要性がないため、温度調節パック５０を床部材３０に装着しないで、ペットを収容室１１Ｓに収容すればことが足りる。そのため、飼い主が、ペットキャリーバッグ１を持ち運びするとき、温度調節パック５０を装着しない分、ペットキャリーバッグ１の軽量化が図れ、可搬性も向上する。しかも、保冷剤である温度調節パック５０は繰り返し使用が可能であり、使い捨ての懐炉である温度調節パック５０は安価に市販されているため、何れの用途にしても温度調節パック５０は低コストである。
【００３６】
また、本実施形態のペットキャリーバッグ１では、収容室１１Ｓの内面は、断熱材２３で覆われていること、を特徴とするので、温度調節パック５０により、温められた収容室１１Ｓ内の雰囲気が、断熱材２３によって暖気のまま保温され易くなり、収容室１１Ｓ内の雰囲気温度の低下を抑制することができる。一方、温度調節パック５０により、冷やされた収容室１１Ｓ内の雰囲気が、断熱材２３によって冷気のまま維持され易くなると共に、外気が高温下にあるときには、たとえ一時的であるとはいえ、表面部材２１と共に断熱材２３により、外気の熱による影響が、収容室１１Ｓに及ぶのを抑制することができる。このとき、ファン４１による送風を行うと、収容室１１Ｓ内で雰囲気が対流できると共に、収容室１１Ｓ内での生暖かい空気が、閉じて重なり合った第１閉塞蓋２４と第２閉塞蓋２５との隙間から排気することができ、収容室１１Ｓを冷やした状態にすることができる。
【００３７】
以上において、本発明を実施形態に即して説明したが、本発明は上記実施形態に限定されるものではなく、その要旨を逸脱しない範囲で、適宜変更して適用できる。
（１）例えば、実施形態では、床部材３０を、補強を施した１枚のキルティング材で構成したが、床部材の材質、構成、構造は、実施形態に限定されるものはなく、熱の伝導性が高く、ペットにとってソフトな感触がある材質で、収容室内でペットがストレスを感じることがない構成、構造であれば良い。
（２）また、実施形態では、本体部１０の収容室１１Ｓの雰囲気を冷やすのに、保冷剤である温度調節パック５０を用いたが、冷却できる時間が限定的であるため、より長い時間、収容室を冷やす必要がある場合には、温度調節手段を、いわゆるエアコンによる冷房
と同じような冷媒システムで構成しても良い。また、温度調節手段が保冷剤である場合、
保冷剤はドライアイスでも良い。但し、ドライアイスを収容室に配設するにあたり、ペットがドライアイスに直接触れない対策を施す必要がある。
（３）また、実施形態では、本体部１０を、表面部材２１、心材２２、及び断熱材２３の３層構造としたが、本体部の断面構造は、３層に限定されることなく、適宜変更可能である。
（４）また、実施形態では、アクセサリとして、ペットの名前や写真入りのチャームを、手提げ２の一端側取付け具に取り付けることにより、意匠性が高いペットキャリーバッグを提供することができる。
【符号の説明】
【００３８】
１  ペットキャリーバッグ
１０  本体部
１１Ｓ  収容室
１２ａ  底面（収容室の内面）
１５ａ  壁面（収容室の内面）
１６ａ  内面（収容室の内面）
３０  床部材
２２  心材
２３  断熱材
２１  表面部材
５０  温度調節パック（温度調節手段、保冷体、発熱体）
１５０  加熱ヒータ（温度調節手段）
【図１】
2015144576.tif 000003
【図２】
2015144576.tif 000004
【図３】
2015144576.tif 000005
【図４】
2015144576.tif 000006
【図５】
2015144576.tif 000007
【図６】
2015144576.tif 000008